(57)【要約】【課題】  本発明は白粉、パウダーファンデーションなどの粉状化粧料、およびパウダーパフなどの塗布具を収容する容器において、容器内およびその周囲に化粧料が飛散してしまうのを防止する粉状化粧料容器の改良に関する。【解決手段】  容器に中蓋を設け中蓋下方に粉状化粧料を収容する化粧料収容室を構成し、少なくとも前記中蓋の化粧料収容室を構成する仕切り部の一部を伸縮性のある材料により成形し、該仕切り部に上下に貫通した無数の切れ込みを入れ、仕切り部を伸ばすことによって切れ込みを開き粉状化粧料を取り出し可能とした粉状化粧料容器において、仕切り部の化粧料収容室側に連続的若しくは断続的に肉厚部を形成し、仕切り部の中央を押し下げることにより伸長する伸長方向に交差する向きで肉厚部に複数の切れ込みを設ける。また肉厚部を伸長方向に交差する向きに形成する。【選択図】図１
2008035877.tif 000002
【特許請求の範囲】
【請求項１】
容器に中蓋を設け中蓋下方に白粉、パウダーファンデーション等の粉状化粧料を収容する化粧料収容室を構成し、少なくとも前記中蓋の化粧料収容室を構成する仕切り部の一部を伸縮性のある材料により成形し、該仕切り部に上下に貫通した無数の切れ込みを入れ、仕切り部を伸ばすことによって切れ込みを開き粉状化粧料を取り出し可能とした粉状化粧料容器において、
前記仕切り部の化粧料収容室側に連続的若しくは断続的に肉厚部を形成し、仕切り部を押し下げることにより伸長する伸長方向に交差する向きで該肉厚部に複数の切れ込みを設けた事を特徴とする粉状化粧料容器。
【請求項２】
前記した肉厚部が、仕切り部を押し下げることにより伸長する伸長方向に交差する向きに形成されることを特徴とする請求項１記載の粉状化粧料容器。
【発明の詳細な説明】
【技術分野】
【０００１】
本発明は、パウダー(粉状化粧料)を収容し、毛足の長いパフにより塗布するボディパウダー、白粉、チークパウダー、パウダーファンデーション等の粉状化粧料、およびパウダーパフなどの塗布具を収容する容器において、容器内およびその周囲に化粧料が飛散してしまうのを防止する粉状化粧料容器の改良に関するものである。
【背景技術】
【０００２】
従来、白粉、パウダーファンデーションなどの粉状化粧料を粉体のまま収容し、その上方にパウダーパフと呼ばれる毛足の長いパフなどの塗布具を収容した容器が数多く提案されている。この容器の多くは、粉状化粧料の上方に中蓋をかぶせ、この中蓋に塗布具を戴置する形態となっていた。そしてこの中蓋にはメッシュが張られ、使用時にはこのメッシュの網目を通して粉状化粧料を塗布具に付着させ塗布していた。
【０００３】
しかし、粉状化粧料が網目を通して必要以上に中蓋上方に移動し、塗布具が粉だらけになってしまう事があった。この問題は中蓋の上方にカバーを嵌合してカバーの上方への粉状化粧料の移動を防げば解消できるのであるが、使用時にカバーを取り去る操作が必要になって面倒になり、部品点数も増加してコストアップの要因となっていた。
【０００４】
また、最近では、化粧料の密着力、カバー力、化粧料を肌に塗布した時の感触のよさから、粉体をより微細にした超微粒子タイプの粉状化粧料が提供されている。この超微粒子タイプの粉状化粧料は、より塗布具収納室の方に移動しやすく、また容器の蓋体を開けた空気の流れで塗布具収納室の化粧料が外部に飛散しやすくなってしまっていた。こうした問題を解決する手段として特許文献１が提案されている。
【０００５】
【特許文献１】特開２００５−７０９３号公報
【０００６】
特許文献１は中蓋の仕切り部の一部を伸縮性の優れたシリコンゴムなどにより成形し、仕切り部に上下に貫通する無数の切れ込みを入れ、仕切り部を伸ばすことによって切れ込みを開き、粉状化粧料を取り出し可能とする。また塗布具で仕切り部を押圧したとき以外は切れ込みが開かず、粉状化粧料の飛散を防止する。
【発明の開示】
【発明が解決しようとする課題】
【０００７】
しかし、特許文献１の技術では伸縮性を重視して仕切り部肉厚を薄くしてしまうと切れ込みを閉じる力が弱くなりパウダーが飛散する原因となる。また逆に復元力を重視して仕切り部の肉厚を厚くしてしまうと伸び性が悪くなり、化粧料が最後まで使えないという問題があった。
【課題を解決するための手段】
【０００８】
本発明は仕切り部の化粧料収容室側に、連続的に若しくは断続的に肉厚部を形成し、仕切り部を押し下げることにより伸長する伸長方向に交差する向きで該肉厚部に複数の切れ込みを設けたものである。
【０００９】
また肉厚部が、仕切り部を押し下げることにより伸長する伸長方向に交差する向きに形成されるものである。
【発明の効果】
【００１０】
本発明粉状化粧料容器にあっては次に記載する効果を奏する。
本発明粉状化粧料容器の中皿を形成する仕切り部には肉薄部と仕切り部の伸長方向に交差する切れ込みを入れた肉厚部が設けられている。パフ等の塗布具で仕切り部を押圧した場合には仕切り部を伸長させ切れ込みを開穴し、仕切り部の押圧を解除した場合には仕切り部を元の形状に復帰させ確実に切れ込みを閉穴することができる。そのため粉状化粧料は開穴された切れ込みを通して仕切り部の上面に必要量を取り出され、仕切り部を押圧する塗布具に全量が付着される。従って粉状化粧料は外蓋の開閉操作では飛散されない。
【００１１】
また仕切り部のパウダー側は肉薄部と肉厚部で凹凸を形成するため、化粧料収納室内でダマになった粉状化粧料は圧砕され元の粉状化粧料にもどされる。そのため最後まで粉状化粧料が取り出せる。
【００１２】
さらに中蓋を構成する仕切り部は伸縮性のあるシリコンゴムなどで形成され、肉厚部に切れ込みを入れるもので安価な中蓋を提供できる等の効果がある。
【発明を実施するための最良の形態】
【００１３】
以下本発明粉状化粧料の実施例に基づき説明する。
本発明実施例においては、粉状化粧料容器を収容する容器は、キャップが容器に嵌合するタイプの容器について説明するが、これは本発明を限定するものではなく、ネジキャップで密閉するジャータイプの容器や蓋体が容器と蝶番で連結したコンパクトケースタイプなどにも実施可能であることは言うまでもない。
【００１４】
図１は本発明粉状化粧料容器の正面断面図である。図において粉状化粧料１０１を収容する容器１は、上部を開口した有底状をしており、上部外周に外蓋３を嵌合し止着する外蓋嵌合部１１が設けられている。容器１と外蓋３は嵌脱可能に嵌合する。容器１の開口側には中蓋５が嵌合され化粧料収容室１３と塗布具収納室３１を仕切る。化粧料収容室１３は白粉、パウダーファンデーションなどの粉状化粧料１０１を収容する。また塗布具収納室３１はパウダーパフと呼ばれる毛足の長いパフなどの塗布具１０５を収納する。
【００１５】
図２は本発明にかかる中蓋の裏面説明図、図３は図２（Ａ）のＡＡ断面図である。中蓋５は容器１の開口部側に嵌合する枠部７１と、この枠部７１にぴんと張った状態で固定されるシリコンゴムシート等の伸縮性のある材料で形成された仕切り部５１とより構成されている。仕切り部５１は上面即ち塗布具収納室３１の側を平滑にし、下面即ち化粧料収容室１３の側を肉薄部５５、肉厚部５３で凹凸に形成する。また仕切り部５１の外周は図３に示されるように被固定部５９を形成し枠部７１により固定される。尚図２（Ａ）は肉厚部５３を環状にすることで連続的に形成する例を示す。また図２(Ｂ)では肉厚部５３、切れ込み部５７を渦巻状に並べ、図２（Ｃ）では肉厚部５３、切れ込み部５７を星形に並べ肉厚部５３を断続的に形成する例を示す。
【００１６】
被固定部５９は仕切り部５１の外周に環状に成形されるもので、図３に示すように上枠７３、下枠７５が組み合わされることにより形成される固定部７７に嵌合され固定する。尚、図１では上枠７３の上部には外蓋嵌合部１１の上端に係止する係止部７９が設けられ中蓋５の化粧料収納室１３側への落ち込みを防止している。図３において記号１は容器、記号３は図１に示した外蓋、記号１１は外蓋嵌合部の一部を示す。尚、図１、図３、図４では中蓋５が容器１の開口部に係止され容器１の底との距離を一定に保たれているが、これに限定されるものではなく中蓋５の固定位置を任意に調整される構造や落とし蓋構造にすることも良いものである。
【００１７】
切れ込み部５７は仕切り部５１を伸ばすことによって開穴し、粉状化粧料１０１を取り出し可能とするもので、肉厚部５３に形成されると共にミシン目状に断続して設けられ仕切り部５１の上面と下面とを貫通するよう形成される。
また切れ込み部５７は仕切り部５１の通常使用状態で伸縮する伸長方向と交差する向きに配置される。配置例としては図２（Ａ）に示されるように切れ込み部５７を仕切り部５１の中心から渦巻状に配置することは勿論、図２（Ｂ）に示されるように切れ込み部５７を星形状に配置するなどの手段がある。さらに切れ込み部５７を同心円状に配置すること、切れ込みの角度を仕切り部５１の伸長方向に交差する範囲で任意に選択する手段を採用することも良い。そのため切れ込み部５７の配置、および数、長さ、間隔等複数の調整要素を自由に設定できることから粉状化粧料１０１の状態や塗布具１０５の仕様等に合せ調整できる。
【００１８】
図４は粉状化粧料容器にかかる化粧料を付着させる操作の説明図で、塗布具１０５を中蓋５の上方から押圧した状態を示す。塗布具１０５を中蓋５の上方、即ち仕切り部５１の上面から化粧料収容室１３の側に押圧すると仕切り部５１は化粧料収納室１３内の粉状化粧料１０１を押圧するように湾曲し伸長する。仕切り部５１の伸長は主に肉薄部５５によってなされるもので容易に底まで届くように伸長する。また仕切り部５１の伸長に伴い肉薄部５５に隣接する肉厚部５３に切れ込み部５７を開く力が働く。その際切れ込み部５７は開穴され粉状化粧料１０１を仕切り部５１の上面に任意に取り出せる。仕切り部５１の上面に取り出された粉状化粧料１０１は塗布具１０５の押圧力を含む払拭で効率よく付着させることができる。
【００１９】
他方仕切り部５１にかかる塗布具１０５の押圧力を解除すると仕切り部５１は縮み切れ込み部５７は肉厚部に設けられているため強い復元力で切れ込み部５７を閉じる。従って切れ込み部５７は、使用しない時、若しくは携帯時など、塗布部１０５から押圧力が加わらない状態においては完全に閉穴され、化粧料収容室１３と塗布具収納室３１とを隔離する。また、切れ込み部５７は肉厚部５３に形成されるためその分切れ込み部５７にさけが生じにくく安定した閉穴を実現できる。
【００２０】
以上のようにして仕切り部５１の上面に取り出された粉状化粧料１０１は仕切り部５１を上面から押圧する塗布具１０５に全て付着される。更に粉状化粧料容器を携帯する場合等には塗布具１０５は中蓋３を僅かしか押圧しないうえに粉状化粧料１０１が化粧料収容室１３内で移動しても切り込み部５１は開穴せず化粧料収容室１３から塗布具収納室３１に移動しない。したがって塗布具収容室３１には余分な粉状化粧料１０１が存在しないことから外蓋３の開閉操作の度に粉状化粧料１０１が飛散されることはなくなる。
【００２１】
また仕切り部５１の下面側は肉薄部５５と肉厚部５３で凹凸を形成するため、化粧料収納室１３内でダマになった粉状化粧料１０１は砕壊され元の粉状にもどされる。そのため粉状化粧料を常に所定の粉体状態に保ち、密着力、カバー力、化粧料を肌に塗布した時の良好な感触を化粧の度に再現できる。
【図面の簡単な説明】
【００２２】
【図１】本発明粉状化粧料容器の正面断面図である。
【図２】本発明にかかる中蓋の裏面説明図である。
【図３】本発明にかかる図２（Ａ）のＡＡ断面図である。
【図４】本発明粉状化粧料容器にかかる化粧料を付着させる操作の説明図である。
【符号の説明】
【００２３】
１・・・・容器
３・・・・外蓋
５・・・・中蓋
１１・・・外蓋嵌合部
１３・・・化粧料収容室
３１・・・塗布具収納室
５１・・・仕切り部
５３・・・肉厚部
５５・・・肉薄部
５７・・・切れ込み部
５９・・・被固定部
７１・・・枠部
７３・・・上枠
７５・・・下枠
７７・・・固定部
７９・・・係止部
１０１・・粉状化粧料
１０５・・塗布具
【図１】
2008035877.tif 000003
【図２】
2008035877.tif 000004
【図３】
2008035877.tif 000005
【図４】
2008035877.tif 000006